(57)【要約】
【課題】飾り物を貝桶内にコンパクトに収納し、飾り付け時には該飾り物を極めて容易に且つコンパクトに飾り付けることができるようにした貝桶飾りを提供する。
【解決手段】天板部（３）と底部（５）とを備えた筒体状の貝桶（１）を中央部（１１）と右部（１３）と左部（１５）とに三分割し、該右部の縁部（１３ａ）を該中央部の対応縁部（１１ａ）に対し該右部が水平方向に回動自在になるように取り付け、該左部の縁部（１５ｂ）を該中央部の対応縁部（１１ｂ）に対し該左部が水平方向に回動自在になるように取り付け、該中央部内と右部内と左部内とにそれぞれ飾り物（２１ａ）（２１ｂ）（２１ｃ）を収納したことを特徴とする貝桶飾り。
【選択図】図１
0003099380.tif 000002
【実用新案登録請求の範囲】
【請求項１】
　天板部と底部とを備えた筒体状の貝桶を中央部と右部と左部とに三分割し、該右部の縁部を該中央部の対応縁部に対し該右部が水平方向に回動自在になるように取り付け、該左部の縁部を該中央部の対応縁部に対し該左部が水平方向に回動自在になるように取り付け、該中央部内と右部内と左部内とにそれぞれ飾り物を収納したことを特徴とする貝桶飾り。
【請求項２】
　基台上にはそれぞれ上端を開口した複数の有底箱体を分離自在に積み重ね、最上の有底箱体上に蓋体を分離自在に載置することにより筒体状の貝桶を形成し、各有底箱体内に飾り物と該飾り物の載置台とを収納したことを特徴とする貝桶飾り。
【考案の詳細な説明】
【技術分野】
【０００１】
　本考案は、貝桶飾りに関するものであり、特に端午の節句ないし雛祭りの際に用いられる貝桶飾りに係るものである。本考案による貝桶飾りは、常時は飾り物を貝桶内に収納し、飾り付け時には該飾り物を極めて容易に飾り付けることができるようにしたものである。
【０００２】
　実用新案登録請求の範囲及び本明細書における「飾り物」とは、端午の節句又は雛祭りの際に飾られるものをいう。
【背景技術】
【０００３】
　一般に、飾り物として、例えば、端午の節句には甲冑等の具足、武者人形等が飾られ、雛祭りには雛人形、雛具等が飾られる。
【０００４】
　飾り物は、一般に、非使用時には収納箱等の収納容器に各別に収納した状態で飾り台等と共に押入れ等の収納スペース内に仕舞われる。端午の節句又は雛祭りの際には、該飾り物を飾り台等と共に収納スペースから取り出し、該飾り物を収納容器から取り出し、飾り台を部屋内の所定の位置に配設し、該飾り台上に飾り物を飾り付けるようにしている。
【０００５】
　本出願人は、常時は飾り物を貝桶内に収納し、飾り付け時には該飾り物を極めて容易に飾り付けることができるようにした貝桶飾りに関する先行技術文献情報を有しない。
【考案の開示】
【考案が解決しようとする課題】
【０００６】
　飾り物は、飾り付けられる時期が端午の節句ないし雛祭り又はその前後に限られており、該飾り物は、前述の如く、非使用時には収納箱等の収納容器に各別に収納した状態で飾り台等と共に押入れ等の収納スペース内に仕舞われる。しかしながら、これらの飾り物を収納箱等の収納容器に各別に収納した状態で飾り台等と共に押入れ等の収納スペース内に仕舞う作業は極めて面倒であるだけでなく、該収納スペースは大きな容積を必要とする。しかも、該飾り物は該収納スペースを長期間にわたって占めることになる。
【０００７】
　更に、端午の節句又は雛祭りの際に、該飾り物を飾り台等と共に収納スペースから取り出し、該飾り物を収納容器から取り出し、飾り台を部屋内の所定の位置に配設し、該飾り台上に飾り物を飾り付ける作業も極めて面倒である。加えて、部屋内に飾り台を配設し、該飾り台上に飾り物を飾り付けるためには、該部屋は大きなスペースを備えていることが必要である。
【０００８】
　本考案は上述の如き問題を解決しようとしてなされたものである。
【課題を解決するための手段】
【０００９】
　上記課題を解決するために、本考案は、飾り物を貝桶内にコンパクトに収納し、飾り付け時には該飾り物を極めて容易に且つコンパクトに飾り付けることができるようにした貝桶飾りを提供するものである。
【００１０】
　即ち、本考案は下記の貝桶飾りを提供する。
【００１１】
（１）天板部と底部とを備えた筒体状の貝桶を中央部と右部と左部とに三分割し、該右部の縁部を該中央部の対応縁部に対し該右部が水平方向に回動自在になるように取り付け、該左部の縁部を該中央部の対応縁部に対し該左部が水平方向に回動自在になるように取り付け、該中央部内と右部内と左部内とにそれぞれ飾り物を収納したことを特徴とする貝桶飾り（請求項１）。
【００１２】
（２）基台上にはそれぞれ上端を開口した複数の有底箱体を分離自在に積み重ね、最上の有底箱体上に蓋体を分離自在に載置することにより筒体状の貝桶を形成し、各有底箱体内に飾り物と該飾り物の載置台とを収納したことを特徴とする貝桶飾り（請求項２）。
【００１３】
［作用］
［請求項１の考案］
　貝桶飾りの非使用時には、中央部内と右部内と左部内とにそれぞれ飾り物を収納し、右部と左部とをそれぞれ中央部方向に回動させて閉じることにより貝桶全体を筒状体となした状態（図１、図２参照）で該貝桶を押入れ等の収納スペースに仕舞う。
【００１４】
　端午の節句又は雛祭りの際に貝桶飾りを使用するときには、押入れ等の収納スペースから貝桶を取り出し、右部と左部とをそれぞれ中央部から離れる方向に回動させて開き（図３参照）、中央部内と右部内と左部内とにそれぞれ収納されている飾り物の位置を調節する。即ち、飾り物は貝桶の中央部内と右部内と左部内とにそれぞれ収納されたままの状態で展示される（図４参照）。
【００１５】
［請求項２の考案］
　貝桶飾りの非使用時には、各有底箱体内に飾り物と該飾り物の載置台とを収納し、該有底箱体を基台上に積み重ねると共に最上の有底箱体上に蓋体を載置することにより貝桶全体を筒状体となした状態（図５、図６参照）で該貝桶を押入れ等の収納スペースに仕舞う。
【００１６】
　端午の節句又は雛祭りの際に貝桶飾りを使用するときには、押入れ等の収納スペースから貝桶を取り出し、蓋体を最上の有底箱体から取り外し、各有底箱体を基台から取り外して分離し、各有底箱体内に収納されている飾り物と該飾り物の載置台とを各有底箱体から取り出して適宜飾り付ける（図７、図８参照）。
【考案の効果】
【００１７】
　本考案によれば、貝桶飾りの非使用時には、飾り物等を貝桶内に収納した状態で該貝桶を押入れ等の収納スペースに仕舞うことができる。即ち、貝桶飾りの非使用時には飾り物等を極めてコンパクトに且つ容易に仕舞うことができる。
【００１８】
　また、端午の節句又は雛祭りの際に貝桶飾りを使用するときには、飾り物等を極めて容易に展示することができる。更に、飾り物等はコンパクトに展示することができるため、飾り物等を飾り付ける部屋は大きなスペースを要しない。
【考案を実施するための最良の形態】
【００１９】
　まず、図１〜図４に示す事例について説明する。
【００２０】
　符号１に示すものは筒体状の貝桶である。図示の貝桶１は八角筒体状をなす。貝桶１は天板部３と底部５とを備えている。符号７に示すものは貝桶１を縛っている紐である。
【００２１】
　貝桶１を中央部１１と右部１３と左部１５とに三分割する。右部１３の縁部１３ａを中央部１１の対応縁部１１ａに対し該右部１３が水平方向に回動自在になるようにヒンジ１７を介して取り付ける。左部１５の縁部１５ｂを中央部１１の対応縁部１１ｂに対し該左部１５が水平方向に回動自在になるようにヒンジ１９を介して取り付ける。図２、図３参照。
【００２２】
　中央部１１内と右部１３内と左部１５内とにそれぞれ飾り物２１ａ、２１ｂ、２１ｃ・・・を好ましくは出し入れ自在に収納する。符号２３ａ、２３ｂ、２３ｃに示すものはそれぞれ飾り物２１ａ、２１ｂ、２１ｃを載置する載置台である。
【００２３】
　次に、図５〜図８に示す事例について説明する。
【００２４】
　符号３１に示すものは筒体状の貝桶である。図示の貝桶３１は六角筒体状をなす。符号３３に示すものは貝桶１を縛っている紐である。
【００２５】
　貝桶３１は、基台３５上にはそれぞれ上端を開口した複数の有底箱体３７、３９を分離自在に積み重ね、最上の有底箱体３９上に蓋体４１を分離自在に載置することにより形成される。図示の事例においては、二個の有底箱体３７、３９が用いられている。
【００２６】
　各有底箱体３７、３９内に飾り物４３ａ、４３ｂ、４３ｃ、４３ｄ・・・と該飾り物４３ａ、４３ｂ、４３ｃ、４３ｄ・・・の載置台４５ａ、４５ｂ、４５ｃ、４５ｄ・・・とを出し入れ自在に収納する。図６に示す事例においては、基台３５内にも載置台４７ａ、４７ｂが収納されている。なお、符号５１に示すものはぼんぼり、符号５３に示すものは屏風である。
【図面の簡単な説明】
【００２７】
【図１】貝桶の一例を示す斜視図である。
【図２】同上貝桶の平面図である。
【図３】同上貝桶における右部と左部とを開いた状態を示す平面図である。
【図４】同上貝桶における右部と左部とを開いた状態を示す正面図である。
【図５】貝桶の別の一例を示す斜視図である。
【図６】同上貝桶の断面図である。
【図７】飾り物等を展示しつつある状態を示す斜視図である。
【図８】飾り物等を展示しつつある別の状態を示す斜視図である。
【符号の説明】
【００２８】
　１　　貝桶
３　　天板部
５　　底部
７　　紐
１１　　中央部
１１ａ　対応縁部
１１ｂ　対応縁部
１３　　右部
１３ａ　縁部
１５　　左部
１５ｂ　縁部
１７　　ヒンジ
１９　　ヒンジ
２１ａ　飾り物
２１ｂ　飾り物
２１ｃ　飾り物
２３ａ　載置台
２３ｂ　載置台
２３ｃ　載置台
３１　　貝桶
３３　　紐
３５　　基台
３７　　有底箱体
３９　　有底箱体
４１　　蓋体４１
４３ａ　飾り物
４３ｂ　飾り物
４３ｃ　飾り物
４３ｄ　飾り物
４５ａ　載置台
４５ｂ　載置台
４５ｃ　載置台
４５ｄ　載置台
４７ａ　載置台
４７ｂ　載置台
５１　　ぼんぼり
５５　　屏風
【図１】
0003099380.tif 000003
【図２】
0003099380.tif 000004
【図３】
0003099380.tif 000005
【図４】
0003099380.tif 000006
【図５】
0003099380.tif 000007
【図６】
0003099380.tif 000008
【図７】
0003099380.tif 000009
【図８】
0003099380.tif 000010